(57)【要約】【課題】表示部の長さや大きさの自由度と視認可能な角度範囲を拡大することができ、照明効果や広告効果を高めることができるようにした蛍光灯装置を提供する。【解決手段】器具本体１１の下面両端部に、ソケット１４を有するソケット取付部２３Ａ，２３Ｂを互いに対向するように設け、蛍光灯１の口金部１６をソケット１４に差し込み接続する。蛍光灯１は、ガラス管１５の外周面に表示部２１が螺旋状に印刷されている。各ソケット取付部２３Ａ，２３Ｂは回転自在なソケット保持具３３，３３’をそれぞれ有し、これらにソケット１４がそれぞれ取付けられている。さらに、一方のソケット取付部２３Ａには、蛍光灯１をソケット１４およびソケット保持具３３，３３’とともに回転させるモータ５０が固定されている。【選択図】  図２
2005309135.tif 000002
【特許請求の範囲】
【請求項１】
互いに対向する一対のソケットを有し天井、壁面等に取付けられる器具本体と、前記一対のソケットに対して差し込み接続される蛍光灯を備えた蛍光灯装置において、
前記蛍光灯のガラス管の外周面に模様、文字、記号等からなる表示部を形成し、前記器具本体に前記蛍光灯を前記ソケットとともに回転させる駆動装置を設けたことを特徴とする蛍光灯装置。
【請求項２】
器具本体に互いに対向する一対のソケット取付部を設け、
前記各ソケット取付部に一対の摺動接片と、ソケットを保持する回転自在なソケット保持具をそれぞれ設け、前記ソケット保持具の外周面に前記ソケットの接続端子が接続されるとともに前記一対の摺動接片が摺接する一対の給電用導電リングを設け、
前記一対のソケット取付部のうちいずれか一方に駆動装置を取付け、その出力軸と当該ソケット取付部のソケット保持具を接続したことを特徴とする請求項１記載の蛍光灯装置。
【発明の詳細な説明】
【技術分野】
【０００１】
本発明は、照明効果や広告効果を高めることができるようにした蛍光灯装置に関するものである。
【背景技術】
【０００２】
蛍光灯を用いた広告装置は、従来から種々提案されており公知である（例えば、特許文献１，２参照）。
【特許文献１】特開平１１−１８５５１８号公報
【特許文献２】特開平１１−２２４０６８号公報
【０００３】
前記特開平１１−１８５５１８号公報に記載された広告装置は、両端に円筒状のホルダーを有し直管型の蛍光灯に嵌装されるチューブを備え、このチューブの外周面に蛍光灯から出る紫外線を遮断する紫外線遮断物質を塗布するとともに、社名や品名を印刷したシルク印刷部を設け、前記シルク印刷部を蛍光灯によって照明するようにしたものである。このような広告装置によれば、蛍光灯から発した光がチューブとシルク印刷部を透過する際にシルク印刷部に印刷されている文字や図案の色相が鮮明に透写されるため、これを見る者が審美感を感じ、優れた広告効果が得られるとしている。
【０００４】
前記特開平１１−２２４０６８号公報に記載された電飾装置は、１枚または重ね合わされた複数枚の透光板からなる看板本体と、この看板本体の一端側に所定の間隔をもって設けた蛍光灯、ＬＥＤ等の発光体と、この発光体の外周側にあって前記透光板に沿って設けられた円筒型の回転体と、この回転体と前記看板本体を支持するケースとを備え、発光体によって回転体をその内部から照射し、回転体を透過する光を前記看板本体内に導き、看板本体に形成した広告媒体となる凹凸加工を照明するようにしたものである。回転体には、発光体からの光が回転によって変色するように所定の着色加工が施されている。このような電飾装置によれば、回転体をモータによって回転させると、看板本体の広告媒体である凹凸加工には変色光が照射されるので、広告媒体は動画像となって人目を強く引き付け、宣伝効果を上げることができるとしている。
【０００５】
この他、電車内の広告メディアとして、図９に示すように車内の蛍光灯１に社名や商品名、キャンペーン等をシルク印刷し、このシルク印刷部２を蛍光灯１によって直接照明するようにしたものも知られている。
【発明の開示】
【発明が解決しようとする課題】
【０００６】
しかしながら、前記特開平１１−１８５５１８号公報に記載された広告装置は、シルク印刷部が印刷された透光性のチューブと、このチューブの両端にそれぞれ取付けられる一対のホルダーとを必要とするため、部品点数が増加するという問題があった。
また、通常の蛍光灯は、外径が３２ｍｍのガラス管であるため、シルク印刷部をガラス管の軸線と平行に印刷した場合、シルク印刷部を正面から見たときの視認可能な幅は２２ｍｍ程度であり、ガラス管の周方向における視認可能な角度範囲がきわめて狭く、ガラス管に対するチューブの取付角度によってはシルク印刷部の全体を視認することができず、シルク印刷部の大きさに制約を受ける。このため、シルク印刷部の幅を大きくすることができず、特に文字の場合は小さいと遠くから読み難く、十分な広告効果が得られないという問題があった。
【０００７】
前記特開平１１−２２４０６８号公報に記載された電飾装置は、看板本体と回転体とを備えているので、装置自体が大型化し、店内の天井や壁面に設置して使用することができないという問題があった。
【０００８】
図９に示した車内の蛍光灯１に社名などをシルク印刷した蛍光灯装置においても、前記特開平１１−１８５５１８号公報に記載された広告装置と同様に、ガラス管の周方向における視認可能な範囲が狭いという問題があった。
【０００９】
この場合、シルク印刷部２の視認を容易にするために、通常は図９に示すように複数のシルク印刷部２をガラス管３の長手方向および周方向に少しずつずらして斜めに印刷することにより、各シルク印刷部２において見えている文字と見えていない文字を少しずつ異ならせている。したがって、乗客がシルク印刷部２に表示されている文字の全てを読む場合は、首を回して目を蛍光灯１に沿って移動させ各シルク印刷部２に見えている文字を順次読み取っていく必要がある。言い換えれば、シルク印刷部２に表示されている文字を読んでもらうために乗客に首を回したり、目を移動させたりすることを期待することになり好ましくない。
【００１０】
本発明は上記した従来の問題を解決するためになされたもので、その目的とするところは、首を回して目を左右に大きく移動させる必要がなく、見る者の負担を軽減することができ、また蛍光灯に形成される表示部の長さや大きさの自由度と視認可能な範囲を拡大することができ、照明効果や広告効果を高めることができるようにした蛍光灯装置を提供することにある。
【課題を解決するための手段】
【００１１】
上記目的を達成するために第１の発明は、互いに対向する一対のソケットを有し天井、壁面等に取付けられる器具本体と、前記一対のソケットに対して差し込み接続される蛍光灯とを備えた蛍光灯装置において、前記蛍光灯のガラス管の外周面に模様、文字、記号等からなる表示部を形成し、前記器具本体に前記蛍光灯を前記ソケットとともに回転させる駆動装置を設けたものである。
【００１２】
第２の発明は、器具本体に互いに対向する一対のソケット取付部を設け、前記各ソケット取付部に一対の摺動接片と、ソケットを保持する回転自在なソケット保持具をそれぞれ設け、前記ソケット保持具の外周面に前記ソケットの接続端子が接続されるとともに前記一対の摺動接片が摺接する一対の給電用導電リングを設け、前記一対のソケット取付部にそれぞれ取付けられるソケット保持具のうちいずれか一方を駆動装置の出力軸に接続したものである。
【発明の効果】
【００１３】
第１の発明においては、駆動装置によって蛍光灯を回転させると表示部も蛍光灯とともに回転して移動するため、表示部の今まで見えていた部分が死角に入り、反対に今まで死角となって見えていなかった部分が見えるようになる。したがって、表示部全体を確実に視認することができ、ガラス管の周方向における視認可能な範囲を拡大することができる。
また、表示部を大きくすることができるため、文字、記号等の判読が容易で、照明効果や広告効果を高めることができる。
さらに、表示部が複数設けられている場合でも、任意の一つの表示部だけを見ているだけでよく、首を回したり目を大きく移動させる必要もない。
【００１４】
第２の発明においては、給電用導電リングと摺動接片を備えているので、蛍光灯に対して確実に通電することができる。
【発明を実施するための最良の形態】
【００１５】
以下、本発明を図面に示す実施の形態に基づいて詳細に説明する。
図１は本発明に係る蛍光灯装置の一実施の形態を示す一部を破断した分解斜視図、図２は図１のII−II線断面図、図３は図２のIII −III 線断面図、図４は同装置の左側面図、図５はモータ側ソケット取付部の断面図、図６はモータ側摺動接点の取付構造を示す図、図７はモータ側とは反対側のソケット取付部の断面図、図８はモータ側とは反対側の摺動接点の取付構造を示す図である。これらの図において、全体を符号１０で示す蛍光灯装置は広告装置として用いられるもので、建物内の天井に取付けられる長尺の器具本体１１を備えている。
【００１６】
前記器具本体１１は、下方に開放する細長い箱型に形成され、内部には給電部１２が配置され、下側には反射板１３が器具本体１１の下側の開口部を略全長にわたって覆うように取付けられ、さらにその下方両端部には、一対のソケット１４，１４が取付けられ、これらのソケット１４には蛍光灯１が装着されている。
【００１７】
前記反射板１３は、純度９９％のアルミニウム板によって形成され、その反射面である下面が鏡面加工されることにより高反射率の反射板を形成している。また、反射板１３は、器具本体１１の幅より広い幅を有して幅方向中央部が器具本体１１の下面開口部に設けた取付金具（図示せず）に止めねじまたは適宜な係止具等によって固定されている。さらに、反射板１３は左右対象な形状で、左右両側縁部が下方に向かって「へ」の字状に折り曲げられ、器具本体１１の両側に突出している。
【００１８】
前記蛍光灯１は、内壁に蛍光物質が塗布された直管からなるガラス管１５と、このガラス管１５の両端部にそれぞれ設けられた２つの口金１６とを備え、各口金１６の端面には２本の口金ピン１７がそれぞれ突設されている。これらの口金ピン１７は、前記ソケット１４に差し込まれ、同ソケット１４内に組み込まれている一対の接続端子１８にそれぞれ電気的に接続されている。前記ガラス管１５は、内部の両端付近にフィラメント電極１９がそれぞれ組み込まれた後、内部の空気を排気して低圧のアルゴンガスと水銀を封入することにより製造される。各フィラメント電極１９は、前記一対の口金ピン１７の内端間に取付けられている。なお、蛍光灯１としては一般に市販されている、例えば３２Ｗの高周波蛍光灯が用いられる。
【００１９】
さらに、前記ガラス管１５の外周面には、表示部２１が多色印刷によって形成されている。表示部２１は、幅が３０ｍｍ程度で、ガラス管１５の端から４０ｍｍ程度中央側に離れた位置から、ガラス管１５の軸線に対して所要角度α（例えば、α＝３０°）傾斜するように螺旋状に、かつガラス管１５の軸線方向に所要の間隔（例えば、１００ｍｍ）をおいて複数印刷されている。このような表示部２１には、連続した模様、絵柄、社名、商品名、広告文字、記号等が表示され、表面には蛍光物質がコーティングされている。
【００２０】
前記器具本体１１の下面両端部には、前記ソケット１４をそれぞれ備えた一対のソケット取付部２３Ａ，２３Ｂが互いに対向するように設けられている。２つのソケット取付部２３Ａ，２３Ｂは、図２、図３、図５および図７に示すように、ソケット保持具３３，３３’の長さが若干異なる点、蛍光灯１をソケット１４とともに回転させる駆動装置５０をソケット取付部２３Ａ側に取付け、ソケット取付部２３Ｂ側には取付けていない点および向きが反対である点が異なるだけであり、その他の構造は全く同一である。したがって、ここでは駆動装置５０を備えたソケット取付部２３Ａの構造を詳述し、ソケット取付部２３Ｂについてはソケット取付部２３Ａと同一構成部品に対して同一符号をもって示し、その説明を省略する。
【００２１】
図５および図６において、前記ソケット取付部２３Ａは、スペーサ２４を介して平行に対向し複数個のビス２５によって一体的に結合された２枚の取付板２６，２７を備え、これらの取付板２６，２７を前記器具本体１１の下面一端側にねじ止めしている。取付板２６，２７の中央には、軸受孔３０，３１が軸線を一致させて形成されており、これらの軸受孔３０，３１によって前記ソケット保持具３３を回転自在に軸支している。内側に位置する取付板２６の軸受孔３０は、外側の取付板２７の軸受孔３１より大きく形成されている。
【００２２】
前記ソケット保持具３３は、デルリン等の合成樹脂によって一体に形成されることにより、円板部３３Ａと、大径軸部３３Ｂと、導電リング取付部３３Ｃと、小径軸部３３Ｄとで構成され、それぞれ一対からなる給電用導電リング３５，３６とリード線３８が取付けられている。
【００２３】
前記円板部３３Ａは、取付板２６の内側に位置して表面中央に凹陥部３４を有し、この凹陥部３４に前記ソケット１４が取付けられている。ソケット１４とソケット保持具３３の軸線は一致している。ソケット１４内に組み込まれている前記一対の接続端子１８の後端部は、前記凹陥部３４に差し込まれている。
【００２４】
前記大径軸部３３Ｂは、前記取付板２６の軸受孔３０によって回転自在に軸支されている。前記導電リング取付部３３Ｃは、２枚の取付板２６，２７間に位置し、外周には前記給電用導電リング３５，３６が軸線方向に離間して嵌合されている。これらの給電用導電リング３５，３６は、互いに絶縁されている。前記２本のリード線３８は、ソケット保持具３３の内部に形成したリード線用孔にそれぞれ挿通されており、その一方のリード線３８によって一方の接続端子１８と一方の給電用導電リング３５を電気的に接続し、他方のリード線３８によって他方の接続端子１８と他方の給電用導電リング３６を電気的に接続している。
【００２５】
前記小径軸部３３Ｄは、外側に位置する取付板２７の軸受孔３１に回転自在に挿通され、その突出端部に抜け防止用のカラー４１が嵌合され、かつビス４２によって固定されている。なお、モータ側ソケット取付部２３Ａに取付けられるソケット保持具３３の小径軸部３３Ｄは、モータ側とは反対側のソケット取付部２３Ｂに取付けられるソケット保持具３３’の小径軸部３３Ｄより長く形成されている。
【００２６】
前記内側の取付板２６と円板部３３Ａとの間および外側の取付板２７と導電リング取付部３３Ｃとの間には、ソケット保持具３３の回転時における摺動摩擦を小さくするためにオイルレスワッシャ４４がそれぞれ介装されている。
【００２７】
前記取付板２６，２７の互いに対向する面には、摺動接片４６，４７が前記各給電用導電リング３５，３６にそれぞれ対応して取付けられている。摺動接片４６，４７は、ばね性と導電性を有する金属板によって形成され、基端部に一体に設けたねじ取付部４６ａ，４７ａが止めねじ４８によって前記取付板２６，２７の対向面にそれぞれ固定され、先端部が前記各給電用導電リング３５，３６の外周面に圧接されている。また、摺動接点４６，４７は、図６に示すようにソケット保持具３３の中心に対して点対象になるように取付けられることにより、前記給電用導電リング３５，３６を互いに反対方向から押圧している。そして、これらの摺動接片４６，４７は、前記器具本体１１内の前記給電部１２に電線４９を介して電気的に接続されている。
【００２８】
さらに、前記ソケット取付部２３Ａには、前記蛍光灯１を回転させる駆動装置としてのモータ５０が取付けられている。モータ５０は減速歯車機構付きのモータで、前記取付板２７の外側面にスペーサ５１を介してねじ止め固定されており、その出力軸５２がソケット保持具３３の中心孔５３に嵌合され、かつビス５４によって固定されている。したがって、モータ５０を駆動すると、出力軸５２の回転はソケット取付具３３およびソケット１４を介して蛍光灯１に伝達される。
【００２９】
図１〜図３において、前記器具本体１１の両端には、各ソケット取付部２３Ａ，２３Ｂを覆うカバー６０が着脱可能に取付けられている。また、器具本体１１の下方には前記蛍光灯１を覆う透明カバー６１が取付けられている。透明カバー６１は、透明なアクリル樹脂によって上面および長手方向両端面が開放し、長手方向と直交する断面形状がＵ字状を呈するように形成され、両端開口部が前記カバー６０の下端部外周面に嵌合し、ビスによって固定されている。
【００３０】
このような構造からなる蛍光灯装置１０において、スイッチをＯＮにして蛍光灯１の各フィラメント電極１９に所定の電圧を加えると、フィラメント電極１９は加熱されて熱電子を放出する。この熱電子はガラス管１２内の水銀原子に衝突することにより放電が起こり、紫外線を放出する。放電によって紫外線が放射されると、ガラス管１５の内壁に塗布されている蛍光物質は紫外線によって励起されることにより可視光を放射し、これによって周囲を明るく照明する。また、可視光は、ガラス管１２の外周に形成されている表示部２１を透過する際に、表示部２１に表示されている図柄、文字等を鮮明に透写する。したがって、周囲の人の視線を表示部１２に引き付け、優れた宣伝効果を得ることができる。
【００３１】
また、蛍光灯装置１０のスイッチを投入して蛍光灯１を点灯させると、モータ５０も駆動しその出力軸５２の回転がモータ側のソケット保持具３３を介してソケット１４に伝達されることにより、蛍光灯１を左右一対のソケット１４およびソケット保持具３３，３３’とともに図１において反時計方向（文字が左から右に向かって書かれている場合）に低速回転（例えば、２〜５ｒｐｍ）させる。ただし、蛍光灯装置１０のスイッチとモータ５０のスイッチを別個に設け、個々独立にＯＮ、ＯＦＦ操作するようにしてもよい。
【００３２】
蛍光灯１が回転すると表示部２１も回転するため、表示部２１の視認可能な部分と死角に入って見えなくなる部分が刻一刻と移動する。したがって、蛍光灯１を見る位置が、下方、右側、左側のいずれの位置であっても蛍光灯１が半回転以上回転するまで表示部２１を見ているば、今まで死角となって見ることができなった部分を見ることができ、ガラス管１５の周方向における視認可能な角度範囲を略１８０°（従来は１４０〜１５０°程度）に拡大することができる。
【００３３】
また、蛍光灯１が一定角度回転すれば、表示部２１の今まで死角になって見えなかった部分が見えるようになるため、表示部２１を大きく形成することができる。したがって、文字の判読が容易で、照明効果や広告効果を一層高めることができる。
【００３４】
さらに、複数の表示部２１をガラス管１５の長手方向に所要の間隔をおいて形成している場合において、死角となって見えない表示部分があっても、蛍光灯１が回転するためある任意の一つの表示部２１だけを見ていれば、今まで死角となって見えなかった表示部分が見えるようになるので、首を振って目を隣の表示部２１に移動させる必要がなく、見る者に優しい広告用蛍光灯装置を提供することができる。
【００３５】
蛍光灯１の点灯時において、蛍光灯１から出る可視光は表示部２１を透過する際に、表示部２１の温度を上昇させる。しかし、表示部２１の温度上昇は僅か１〜３℃程度であるため、表示部２１に何ら影響を与えることはない。また、蛍光灯１の明るさは可視光の一部が表示部２１によって遮られるため若干低下するが、高反射率の反射板１３を備えているので、照度への影響は殆どない。
【００３６】
なお、上記した実施の形態は、一灯式の蛍光灯装置１０に適用した例を示したが、本発明はこれに何ら限定されるものではなく、２本以上の蛍光灯１を並設した多灯式の蛍光灯装置にも適用することが可能である。その場合には、表示部２１が隣の蛍光灯１の死角にならないようにするために蛍光灯１の間隔を広くすればよい。
また、上記した実施の形態は、ソケット保持具３３の大径軸部３３Ｂと小径軸部３３Ｄを２枚の取付板２６，２７の軸受孔３０，３１によって直接回転自在に軸支したが、蛍光灯１の捩れを防止するためにベアリングを介して軸支することが好ましい。
【産業上の利用可能性】
【００３７】
本発明は、蛍光灯装置１０を広告装置に適用したが、これに限定されるものではなく、例えば表示部２１に異なる色の光を発散する多数の微小な透光部を形成しておけば、ダンスホール、舞台、スタジオ等で使用されるミラーボールのような照明装置としても使用することが可能である。
【図面の簡単な説明】
【００３８】
【図１】本発明に係る蛍光灯装置の一実施の形態を示す一部を破断した分解斜視図である。
【図２】図１のII−II線断面図である。
【図３】図２のIII −III 線断面図である。
【図４】同装置の左側面図である。
【図５】モータ側ソケット取付部の断面図である。
【図６】摺動接点の取付構造を示す図である。
【図７】モータ側とは反対側のソケット取付部の断面図である。
【図８】摺動接点の取付構造を示す図である。
【図９】ガラス管の外周面に表示部を形成した従来の蛍光灯を示す図である。
【符号の説明】
【００３９】
１…蛍光灯、２…表示部、１０…蛍光灯装置、１１…器具本体、１３…反射板、１４…ソケット、１５…ガラス管、１６…口金、１７…口金ピン、１８…接続端子、２１…表示部、２３Ａ，２３Ｂ…ソケット取付部、３０，３１…軸受孔、３３，３３’…ソケット保持具、３５，３６…給電用導電リング、４６，４７…摺動接片、５０…モータ、５２…出力軸。
【図１】
2005309135.tif 000003
【図２】
2005309135.tif 000004
【図３】
2005309135.tif 000005
【図４】
2005309135.tif 000006
【図５】
2005309135.tif 000007
【図６】
2005309135.tif 000008
【図７】
2005309135.tif 000009
【図８】
2005309135.tif 000010
【図９】
2005309135.tif 000011